(57)【要約】【課題】  指示用のレーザ光を所定の領域へ向けて発光することができるとともに、送信データを送受信できる送信装置を提供する。【解決手段】  レーザポインタ４は、指示用のレーザ光を所定の領域へ向けて発光するレーザダイオード４５と、所定の送信データに基づいて、レーザダイオード４５が発光するレーザ光を変調させるＬＤドライバ４４とを有する。このＬＤドライバ４４は、送信データに応じた変調信号をバイアス電流に重畳してレーザダイオード４５に駆動電流を供給する。【選択図】        図３
2005044275.tif 000002
【特許請求の範囲】
【請求項１】
所定の領域へ向けて指示用のレーザ光を発光する発光手段と、
所定の送信データに基づいて、前記発光手段が発光するレーザ光を変調する駆動回路とを有することを特徴とする送信装置。
【請求項２】
前記送信装置は更に、前記送信データを記憶する記憶手段を有することを特徴とする請求項１記載の送信装置。
【請求項３】
前記記憶手段は、着脱可能に構成されていることを特徴とする請求項２記載の送信装置。
【請求項４】
前記送信装置は更に、前記送信データを外部から取得するインターフェースを有することを特徴とする請求項１から請求項３のいずれか一項に記載の送信装置。
【請求項５】
前記駆動回路は、前記所定の送信データに応じた変調信号をバイアス電流に重畳して前記発光手段に駆動電流を供給することを特徴とする請求項１から請求項４のいずれか一項に記載の送信装置。
【請求項６】
所定の送信データに基づいて変調されたレーザ光を受光して電気信号に変換する受光手段と、
前記受光手段が変換した電気信号を復調する復調手段と、
前記復調手段が復調した信号を外部装置に出力する手段とを有することを特徴とする受信装置。
【請求項７】
前記受光手段は、所定の表示手段によって反射されたレーザ光を受光することを特徴とする請求項６記載の受信装置。
【請求項８】
受信装置と、該受信装置から取得した情報を所定の表示領域に表示させる手段を備えた画像表示装置であって、
前記受信装置は、請求項６又は請求項７記載の受信装置であることを特徴とする画像表示装置。
【請求項９】
前記画像表示装置は更に、所定の撮像手段により前記表示領域を撮像して得た撮像信号に基づいて前記表示領域を照射するレーザ光の照射位置を検出する検出部を有することを特徴とする請求項８記載の画像表示装置。
【請求項１０】
前記表示領域に対応する箇所に配設された光検出器からの検出信号に基づいて前記レーザ光の照射位置を検出する検出装置と、該検出装置が検出したレーザ光の照射位置に応じて前記表示領域に画像を表示する画像表示装置とを備えたシステムであって、
前記画像表示装置は、請求項８又は請求項９記載の画像表示装置であることを特徴とするシステム。
【請求項１１】
所定の送信データに基づいて、送信装置の発光手段が発光するレーザ光を変調する第１の段階と、
前記第１の段階により変調されたレーザ光を受光して電気信号に変換する第２の段階と、
前記第２の段階により変換した電気信号を復調して前記送信データを取得する第３の段階とを有することを特徴とする送受信方法。
【発明の詳細な説明】
【技術分野】
【０００１】
本発明は、送信装置、受信装置、画像表示装置、システム及び送受信方法に関する。
【背景技術】
【０００２】
近年、パーソナルコンピュータでは、プレゼンテーション用ソフトを用いることにより、予め作成した複数の画像データを順番に表示することができる。実際のプレゼンテーションでは、パーソナルコンピュータをプロジェクタへ接続し、このプロジェクタによってパーソナルコンピュータからの画像データに対応する映像を拡大投影しながらプレゼンテーションを行うようになっている。
【０００３】
しかし、プロジェクタにパーソナルコンピュータを接続する場合、ＲＧＢケーブルを用いることが必要であるため、ケーブルによる空間的な制約が問題となっていた。また、利用できるパーソナルコンピュータが限定されてしまうという問題もあった。
【０００４】
このような問題点を解決するものとして、特許文献１記載のプロジェクタが提案されている。特許文献１記載のプロジェクタは、プロジェクタにパーソナルコンピュータ内にあるデータを送信する際に、無線ＬＡＮ（Ｌｏｃａｌ  Ａｒｅａ  Ｎｅｔｗｏｒｋ）を用いるようにしている。これにより、ケーブルによる空間的な制約という問題点を解決している。
【０００５】
また、プレゼンテーションの際に用いられる指示器として特許文献２記載の指示器兼用のリモートコントローラが提案されている。図１は、特許文献２記載の指示器兼用のリモートコントローラのブロック図である。リモ−トコントローラ２００は、赤外線発光部２０１、ドライバ２０２、コントローラ２０３、キーボード２０４、レーザ発光部２０５、スイッチ２０６、電源２０７を備える。
【０００６】
このリモートコントローラ２００をリモートコンローラとして使用する場合、キーボード２０４のキーが押し下げられるとコントローラ２０３がその状態を検出し、この押し下げられたキーに対応した制御信号をドライバ２０２に出力し、ドライバ２０２は赤外線発光部２０１を駆動し、赤外線発光部２０１が赤外線を発光する。また、リモートコントローラ２００をレーザポインタとして使用する場合、スイッチ２０６の押し下げによりレーザ発光部２０５がレーザ光を発光する。これにより、ＯＨＰ用透写機の電源の入り切り、表示データの交換等の制御の他に、スクリーン指示の位置情報を１台のコントローラで指示できるというものである。
【０００７】
【特許文献１】特開平２００２−２９６６７４号公報
【特許文献２】特開平８−１５７７５号公報
【発明の開示】
【発明が解決しようとする課題】
【０００８】
しかしながら、特許文献１記載のプロジェクタでは、使用する前にＬＡＮ環境の設定が必要であるため、ユーザによる操作が煩雑になるという問題があった。また、無線ＬＡＮを使用した場合、誤操作による情報の漏洩が発生することもあり、セキュリティ面でも問題があった。
【０００９】
また、特許文献２記載のリモートコントローラ２００は、リモコンとレーザポインタの機能を実現するには、赤外線発光部２０１と、レーザ発光部２０５を設けなければならず、構造が複雑なものとなっていた。
【００１０】
そこで、本発明は上記従来技術の問題点を解決し、簡単な構成で、指示用のレーザ光を所定の領域へ向けて発光することができるとともに、送信データを送受信できる送信装置、受信装置、画像表示装置および送受信方法を提供することを目的とする。
【課題を解決するための手段】
【００１１】
上記課題を解決するために、請求項１記載の送信装置は、所定の領域へ向けて指示用のレーザ光を発光する発光手段と、所定の送信データに基づいて、前記発光手段が発光するレーザ光を変調する駆動回路とを有することを特徴とする。請求項１記載の発明によれば、送信データに基づいて、発光手段が発光するレーザ光を変調するようにしたので、簡単な構成で、所定の領域へ向け指示用のレーザ光を発光できるとともに、送信データを送信することもできる。
【００１２】
また、請求項２記載の送信装置は、請求項１記載の送信装置において、更に、前記送信データを記憶する記憶手段を有することを特徴とする。請求項２記載の発明によれば、送信データを記憶手段で保持することができる。
【００１３】
また、本発明は、請求項３に記載のように、請求項２記載の送信装置において、前記記憶手段は、着脱可能に構成されていることを特徴とする。
【００１４】
また、請求項４記載の送信装置は、請求項１から請求項３のいずれか一項に記載の送信装置において、更に、前記送信データを外部から取得するインターフェースを有することを特徴とする。請求項４記載の発明によれば、送信データをインターフェースを介して取得することができる。
【００１５】
また、本発明は、請求項５に記載のように、請求項１から請求項４のいずれか一項に記載の送信装置において、前記駆動回路は、前記所定の送信データに応じた変調信号をバイアス電流に重畳して前記発光手段に駆動電流を供給することを特徴とする。
【００１６】
また、請求項６記載の受信装置は、所定の送信データに基づいて変調されたレーザ光を受光して電気信号に変換する受光手段と、前記受光手段が変換した電気信号を復調する復調手段と、前記復調手段が復調した信号を外部装置に出力する手段とを有することを特徴とする。請求項６記載の発明によれば、送信データに基づいて変調されたレーザ光を復調することにより、外部からの送信データを受信することができる。
【００１７】
また、本発明は、請求項７に記載のように、請求項６記載の受信装置において、前記受光手段は、所定の表示手段によって反射されたレーザ光を受光することを特徴とする。請求項７記載の発明によれば、表示手段によって反射されたレーザ光を受光するようにしたので、表示手段に対向する位置に受信装置を配置させることができる。
【００１８】
また、請求項８記載の画像表示装置は、受信装置と、該受信装置から取得した情報を所定の表示領域に表示させる手段を備えた画像表示装置であって、前記受信装置は、請求項６又は請求項７記載の受信装置であることを特徴とする。請求項８記載の発明によれば、レーザ光に応じた送信データを受信できる画像表示装置を提供することができる。
【００１９】
また、請求項９記載の画像表示装置は、請求項８記載の画像表示装置において、更に、所定の撮像手段により前記表示領域を撮像して得た撮像信号に基づいて前記表示領域を照射するレーザ光の照射位置を検出する検出部を有することを特徴とする。請求項９記載の発明によれば、レーザ光の照射位置を検出することができる。
【００２０】
また、請求項１０記載のシステムは、前記表示領域に対応する箇所に配設された光検出器からの検出信号に基づいて前記レーザ光の照射位置を検出する検出装置と、該検出装置が検出したレーザ光の照射位置に応じて前記表示領域に画像を表示する画像表示装置とを備えたシステムであって、前記画像表示装置は、請求項８又は請求項９記載の画像表示装置であることを特徴とする。請求項１０記載の発明によれば、レーザ光の照射位置に応じた画像表示を行うことができる。
【００２１】
また、請求項１１記載の送受信方法は、所定の送信データに基づいて、送信装置の発光手段が発光するレーザ光を変調する第１の段階と、前記第１の段階により変調されたレーザ光を受光して電気信号に変換する第２の段階と、前記第２の段階により変換した電気信号を復調して前記送信データを取得する第３の段階とを有することを特徴とする。請求項１１記載の発明によれば、簡単な構成により、所定の領域へ向けて指示用のレーザ光を発光できるとともに、送信データを送受信することもできる。
【発明の効果】
【００２２】
本発明によれば、簡単な構成で、指示用のレーザ光を所定の領域へ向けて発光することができるとともに、所定の送信データを送受信できる送信装置、受信装置、画像表示装置、システム及び送受信方法を提供することができる。
【発明を実施するための最良の形態】
【００２３】
以下、本発明を実施するための最良の形態を説明する。
【実施例１】
【００２４】
図２は本実施例に係るシステムの概略図を示している。図２に示すように、本実施例に係るシステム１は、スクリーン２、プロジェクタ３、レーザポインタ４、受信装置５、座標検出装置７、ＣＣＤカメラ９を有する。システム１は、例えば、講演やプレゼンテーション、会議等において、比較的大きな画面に画像を表示することにより複数の視聴者による視認を可能にするためのものである。
【００２５】
スクリーン２は、所定の表示手段であり、平坦に形成された前面に、プロジェクタ３からの投影画像を反射することにより、視聴者に対して投影画像を表示する。また、このスクリーン２は前面の投影領域にマトリックス状に配設されたフォトダイオード等の光検出器を有する。この光検出器を用いてレーザポインタ４の指示位置における座標を算出することができる。
【００２６】
プロジェクタ３は、画像表示装置であり、外部から供給される画像データをスクリーン（所定の表示領域）２に表示させる手段を備える。このプロジェクタ３は、受信装置５から入力された画像データに基づきスクリーン２に可視像を投影する。このプロジェクタ３は、例えば、照明源や、レンズ、ＬＣＤ（Ｌｉｑｕｉｄ  Ｃｒｙｓｔａｌ  Ｄｉｓｐｌａｙ）パネル等による光学系を具備する。このプロジェクタ３は、ＬＣＤパネルが背面からの照明光の透過を制御することにより投影画像を生成して、スクリーン２に対して投影する。
【００２７】
レーザポインタ４は、送信装置であり、指示用のレーザ光を所定の領域へ向けて発光し、スクリーン２上にレーザ光のスポットを形成する。また、このレーザポインタ４は受信装置５へ変調されたレーザ光を送信する機能も備える。
【００２８】
受信装置５は、レーザポインタ４からの変調されたレーザ光を受光するためのものであり、受光したレーザ光を復調するとともに、画像データを生成して、生成した画像データをプロジェクタ３に出力する。これにより、レーザポインタ４から送信された画像データがプロジェクタ３によって、スクリーン２上に表示される。
【００２９】
次に、レーザポインタ４について説明する。図３は、本実施例に係るレーザポインタのブロック図である。図３に示すように、レーザポインタ４は、外部インターフェース（Ｉ／Ｆ）４１、エンコーダ４２、メモリ（記憶手段）４３、ＬＤ（レーザダイオード）ドライバ４４、レーザダイオード４５、ボタン４６Ａ、４６Ｂ、４６Ｃ、十字キー４７、制御部４８を有する。
【００３０】
外部インターフェース４１は、パーソナルコンピュータ、携帯電話等の外部装置との間でデータの送受信を行う。レーザポインタ４は、この外部インターフェース４１を介して、受信装置５へ送信するデータを取得することができる。エンコーダ４２は、受信装置５へ送信するデータを符号化する。
【００３１】
メモリ４３は、記憶手段に相当し、レーザポインタ４から送信するデータを記憶する。このメモリ４３は、例えばコンパクトフラッシュ（登録商標）等の記録メディアでもよく、本体とは別体とし、着脱可能な構成としてもよい。ＬＤドライバ４４は、送信するデータ信号に応じた変調電流をバイアス電流に重畳させて、レーザダイオード４５を駆動させる駆動回路を有する。
【００３２】
この駆動回路は、レーザダイオード４５に流すバイアス電流と、このバイアス電流に重畳させる変調電流とを制御する。これらバイアス電流と変調電流とがレーザダイオード４５の駆動電流となる。レーザダイオード４５は、バイアス電流及び変調電流が共にレーザダイオード４５に流れたときに、発光するようになっている。レーザダイオード４５は、ＬＤドライバ４４からの駆動電流に基づきレーザ光を発光する。
【００３３】
ボタン４６Ａは、ポイント用のレーザ光の発光をオン／オフするためのものであり、ボタン４６Ａの操作状況は制御部４８により監視されている。操作者がこのボタン４６Ａを押下げると、制御部４８がＬＤドライバ４４に制御信号を出力して、レーザダイオード４５からレーザ光が発光される。これにより、スクリーン２上の画像が表示されている領域中の所望の位置をレーザポインタ４で指し示しながら、聴衆に対するプレゼンテーション等を行うことができる。
【００３４】
ボタン４６Ｂは、データ送信用のボタンであり、ボタン４６Ｂの操作状況は、制御部４８により監視されている。操作者がこのボタン４６Ｂを押下げると、制御部４８によりその押下げ状況が検出されて、メモリ４３内のデータがエンコーダ４２で符号化される。ＬＤドライバ４４は、符号化されたデータに基づきレーザダイオード４５に駆動電流を供給し、レーザ光を発光させる。
【００３５】
ボタン４６Ｃは、プロジェクタ３が表示するＧＵＩ（Ｇｒａｐｈｉｃａｌ  Ｕｓｅｒ  Ｉｎｔｅｒｆａｃｅ）メニューに対して、メニューの選択、ポインティングの決定等のための制御信号をプロジェクタ３に送信するためのボタンである。例えば、プロジェクタ３がスクリーン２上に提供する所定のＧＵＩメニューの中から所望のメニューを選ぶ際に、メニューセレクトボタンとして機能する十字キー４７を押した後に、このボタン４６Ｃを押下げると、制御部４８は押下げ状況に応じた制御信号をメモリ４３から取得する。この制御信号はエンコーダ４２で符号化されて、ＬＤドライバ４４へ供給される。
【００３６】
ＬＤドライバ４４は、符号化されたデータに基づきレーザダイオード４５に駆動電流を供給して、レーザ光を発光させる。このレーザ光は受信装置５を介して、プロジェクタ３に入力され、プロジェクタ３は、レーザポインタ４からの指示に応じた表示や処理等を行う。
【００３７】
十字キー４７は、上述したようにメニューセレクトボタンとして機能する。ユーザがこの十字キー４７を操作することによりスクリーン２上のメニューを選択することができる。制御部４８は、レーザポインタ４全体を制御する。
【００３８】
次に、受信装置について説明する。図４は、本実施例に係る受信装置のブロック図である。図４に示すように、受信装置５は、フォトダイオード（ＰＤ）５１、アンプ（ＡＭＰ）５２、デコーダ５３、画像処理部５４、インターフェース５５を有する。この受信装置５は、ＲＧＢケーブル６を介してプロジェクタ３に接続されている。
【００３９】
フォトダイオード５１は、受光手段であって、レーザポインタ４のレーザダイオード４５から出射されたレーザ光を受光して電気信号に変換し、変換した電気信号をアンプ５２へ供給する。アンプ５２はこれらの信号を増幅して復調信号としてデコーダ５３に出力する。このアンプ５２が復調手段に相当する。
【００４０】
デコーダ５３は、アンプ５２で増幅された復調信号を復号する。画像処理部５４は、デコーダ５３から供給された信号に基づき画像データを生成する。インターフェース５５は、画像処理部５４が生成した画像データをアナログＲＧＢ信号に変換して、ＲＧＢケーブル６を介してプロジェクタ３に出力する。プロジェクタ３は、受信装置５から供給された画像データに基づきＬＣＤパネルが背面からの照明光の透過を制御することにより投影画像を生成して、スクリーン２に対して投影する。
【００４１】
次に、座標検出装置７について説明する。図５は座標検出装置７のブロック図である。座標検出装置７は、検出装置に相当し、レーザポインタ４の指示位置における座標を検出するものである。座標検出装置７は、ケーブル８を介してプロジェクタに接続されている。図５に示すように、座標検出装置７は、アンプ７１、２値化回路７２、演算回路７３、インターフェース７４を有する。
【００４２】
アンプ７１は、スクリーン２の前面の投影領域にマトリックス状に配設されたフォトダイオード等の光検出器からの検出信号を増幅する。２値化回路７２は、アンプ７１で増幅された信号を２値化する。演算回路７３は、２値化回路７２で２値化された信号に基づきレーザポインタ４の指示位置の座標を算出する。インターフェース７４は、プロジェクタ３へのデータの送信を行う。
【００４３】
以上の構成により、プロジェクタ３は、レーザポインタ４のスクリーン２上の指示位置の座標を検出することができる。この検出された指示位置の座標は、プロジェクタ３により各種制御に用いられる。例えば、プロジェクタ３は、座標検出装置７が検出したレーザ光の照射位置に応じてスクリーン２上に画像を表示する。
【００４４】
次に本実施の形態に係るシステム１の動作について説明する。レーザポインタ４を用いて、所定のデータを送信する場合には、パーソナルコンピュータ等と外部インターフェース４１とをケーブル等で接続して、送信するデータをメモリ４３に保持させる。この状態で、操作者がレーザポインタ４を受信装置５へ向け、データ送信用のボタン４６Ｂを押下げることにより、制御部４８によってその押下げ状況が検出され、メモリ４３内の送信データがエンコーダ４２で符号化される。符号化された送信データはＬＤドライバ４４へ供給される。
【００４５】
ＬＤドライバ４４は、エンコーダ４２からの送信データに応じた変調電流をバイアス電流に重畳させて、レーザダイオード４５に駆動電流を供給する。レーザダイオード４６は、ＬＤドライバ４４からの駆動電流に応じてレーザ光を照射する。受信装置５のフォトダイオード５１は、レーザダイオード４５からのレーザ光を受光して電気信号に変換し、変換した電気信号をアンプ５２に供給する。
【００４６】
アンプ５２は、フォトダイオード５１からの信号を増幅して復調信号としてデコーダ５３へ出力する。デコーダ５３は、アンプ５２で増幅された復調信号を復号し、復号した復調信号を画像処理部５４へ出力する。画像処理部５４では、デコーダ５３からの信号に基づいて、プロジェクタ３で表示するための画像データを生成する。
【００４７】
インターフェース５５は、画像処理部５４が生成した画像データをアナログＲＧＢ信号に変換して、ＲＧＢケーブル６を介してプロジェクタ３へ出力する。プロジェクタ３は、受信装置５から供給された画像データに基づいて、ＬＣＤパネルが背面からの照明光の透過を制御することにより投影画像を生成して、スクリーン２に対して投影する。これにより、レーザポインタ４を用いて所定のデータを送信し、送信したデータに基づく画像データをプロジェクタ３からスクリーン２に投影することができる。
【００４８】
また、プロジェクタ３は、必要に応じてＧＵＩをスクリーン２上に表示する。この時、使用者は、スクリーン２に表示されているＧＵＩメニューに対して、メニューの選択、ポインティングの決定等をレーザポインタ４の十字キー４７及びボタン４６Ｃを用いて応答することができる。
【００４９】
第１実施例によれば、所定の送信データに基づいて、レーザダイオード４５が発光するレーザ光を変調するようにしたので、簡単な構成で、指示用のレーザ光を所定の領域へ向けて発光することができるとともに、送信データを送信することもできる。
【００５０】
また、スクリーン２に対して、直接レーザポインタを向けることにより画像等の送信データを転送することができるので、直感的、迅速な操作が可能である。また、光による通信なので、電波に比べてセキュリティ面で安全性が高い。パーソナルコンピュータが無くても、インタラクティブな操作が可能になる。また、レーザポインタ４から受信装置５にデータを送信する際に、ケーブルが必要なくなるため、ケーブルによる空間的な制約という問題点も解決される。
【００５１】
なお、図４では、プロジェクタ３と受信装置５とを別体で構成する例について説明したが、プロジェクタ内に受信装置を設けるようにしてもよい。図６は、受信装置を含むプロジェクタのブロック図を示している。図６に示すように、プロジェクタ１０３は、フォトダイオード１５１と、アンプ１５２と、デコーダ１５３と、画像処理部１５４と、画像投与部１５６とを有する。なお、符号１０５がプロジェクタ１０３内に含まれている受信装置である。
【００５２】
フォトダイオード１５１は、受光手段であって、レーザダイオード４５から出射された光学的な信号を電気的な信号に変換するのは上記と同様である。さらに、このフォトダイオード１５１は、スクリーン（所定の表示手段）２によって反射したレーザ光を受光するように構成されている。画像投与部１５６は、画像処理部５４から供給された画像データに基づいて、ＬＣＤパネルが背面からの照明光の透過を制御することにより投影画像を生成して、スクリーン２に対して投影する。
【００５３】
図６に示すプロジェクタ１０３によれば、スクリーン２によって反射されたレーザ光を受光するようにしたので、スクリーン２に対して対向する位置に、受信装置を含むプロジェクタを配置することができる。
【実施例２】
【００５４】
次に、第２実施例に係るプロジェクタについて説明する。図７は、第２実施例に係るプロジェクタ２０３のブロック図である。図７に示すように、プロジェクタ２０３は、選択識別部３１、制御部３２を有する。この選択識別部３１は、ＣＣＤカメラ９の撮像信号に基づきレーザポインタ４による指示位置の座標を検出し、レーザポインタ４によってセレクト画面中のいずれの項目が選択されているか否かを識別する。
【００５５】
選択識別部３１は、ノイズフィルタ３３、２値化処理部３４、座標検出部３５、判定部３６を有する。ノイズフィルタ３３は、ＣＣＤカメラ９から入力された撮像信号のノイズを除去する。２値化処理部３４は、ノイズが除去された撮像信号に対して２値化を行う。座標検出部３５は、検出部に相当し、２値化された撮像信号に基づきレーザポインタ４の照射位置の座標を検出する。
【００５６】
判定部３６は、座標検出部３５で検出した照射位置の座標に基づき、現在スクリーン２上に投影している画像と比較して、レーザポインタ４によりセレクト画面中のいずれの項目が選択されているか否かを判定する。制御部３２は、レーザポインタ４によって選択された項目に応じて各種制御を行う。なお、図１では、レーザポインタ４によって、スクリーン２上におけるセレクト画面中の「ＮＯ」の項目が選択されている例を示している。第２実施例によれば、レーザポインタ４によって照射された項目を識別することができる。
【００５７】
以上、本発明の実施例を説明した。本発明は上記実施例に限定されるものではなく、本発明の要旨の範囲内において種々の変形実施が可能である。
【００５８】
例えば、上記実施例では、送信装置の例としてレーザポインタを例にとって説明したが、本発明の送信装置はこれに限定されるものではなく、所定の領域へ向け指示用のレーザ光を発光する発光手段と、所定の送信データに基づいて、発光手段が発光するレーザ光を変調させる駆動回路とを有する構成により実現される。
【００５９】
また、上記実施例では、画像表示装置の一例としてプロジェクタを用いて説明したが、本発明の画像表示装置は、これに限定されるものではなく、所定の表示領域に表示させる手段を備えていればいずれの装置も含まれる。また、本実施例では、送信するデータとして画像データを例にとって説明したが、本発明で送信するデータには画像データに限られず種々のデータが含まれる。
【図面の簡単な説明】
【００６０】
【図１】特許文献２記載のリモートコントローラのブロック図である。
【図２】第１実施例に係るシステムの概略図を示している。
【図３】第１実施例に係るレーザポインタのブロック図である。
【図４】第１実施例に係る受信装置のブロック図である。
【図５】第１実施例に係る座標検出装置のブロック図である。
【図６】プロジェクタの他の構成例である。
【図７】第２実施例に係るプロジェクタを説明するための図である。
【符号の説明】
【００６１】
１  システム
２  スクリーン
３、１０３、２０３  プロジェクタ
４  レーザポインタ
５  受信装置
４３  メモリ
４４  ＬＤドライバ
４５  レーザダイオード
５１、１５１  フォトダイオード
５２、１５２  アンプ
５３、１５３  デコーダ
５４、１５４  画像処理部
１５６  画像投与部
【図１】
2005044275.tif 000003
【図２】
2005044275.tif 000004
【図３】
2005044275.tif 000005
【図４】
2005044275.tif 000006
【図５】
2005044275.tif 000007
【図６】
2005044275.tif 000008
【図７】
2005044275.tif 000009